【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
錠剤が収容された錠剤収容部を含む錠剤シートの前記錠剤収容部を押圧して錠剤を取り出す錠剤取り出し手段と、
前記錠剤取り出し手段が前記錠剤収容部の第１の位置を押圧可能な第１の配置位置、及び前記錠剤取り出し手段が前記第１の位置とは異なる前記錠剤収容部の第２の位置を押圧可能な第２の配置位置に前記錠剤シートを搬送可能な搬送手段と、
前記錠剤シートに収容される錠剤の種類に応じて、前記搬送手段により前記錠剤シートを前記第１の配置位置に搬送するか、前記第２の配置位置に搬送するかを決定する決定手段と、
を備えることを特徴とする錠剤供給装置。
【請求項２】
前記決定手段は、前記錠剤シートに収容される錠剤の種類が、錠剤に割線、または割線模様がある種類である場合に、前記第２の配置位置に搬送すると決定することを特徴とする請求項１に記載の錠剤供給装置。
【請求項３】
前記決定手段は、前記錠剤シートに収容される錠剤の種類が、錠剤に割線、または割線模様がない種類である場合には、前記第１の配置位置に搬送すると決定することを特徴とする請求項１または２に記載の錠剤供給装置。
【請求項４】
前記錠剤シートに収容される錠剤の種類が、錠剤に割線、または割線模様がある種類であるかの選択を受け付ける受付手段を備え、
前記決定手段は、前記受付手段で受け付けた選択の結果を用いて、前記搬送手段により前記錠剤シートを前記第１の配置位置に搬送するか前記第２の配置位置に搬送するかを決定することを特徴とする請求項１乃至３のいずれか１項に記載の錠剤供給装置。
【請求項５】
前記第１の位置とは、前記搬送手段で搬送される前記錠剤シートの搬送方向に関する前記錠剤収容部の幅の中央付近であることを特徴とする請求項１乃至４のいずれか１項に記載の錠剤供給装置。
【請求項６】
前記錠剤シートに収容される錠剤の種類が、錠剤に割線、または割線模様がない種類であり、かつ、当該錠剤がＯＤ錠である場合に、前記錠剤取り出し手段により前記錠剤収容部を押圧する動作を、前記錠剤シートに収容される錠剤の種類がＯＤ錠でない場合と異なる動作に切り替えるように制御する制御手段を備えることを特徴とする請求項１乃至５のいずれか１項に記載の錠剤供給装置。
【請求項７】
錠剤が収容された錠剤収容部を含む錠剤シートの前記錠剤収容部を押圧して錠剤を取り出す錠剤取り出し手段を有する錠剤供給装置の制御方法であって、
前記錠剤取り出し手段が前記錠剤収容部の第１の位置を押圧可能な第１の配置位置、又は前記錠剤取り出し手段が前記第１の位置とは異なる前記錠剤収容部の第２の位置を押圧可能な第２の配置位置に前記錠剤シートを搬送する搬送工程と、
前記錠剤シートに収容される錠剤の種類に応じて、前記搬送工程により前記錠剤シートを前記第１の配置位置に搬送するか、前記第２の配置位置に搬送するかを決定する決定工程と、
を備えることを特徴とする制御方法。
【請求項８】
錠剤が収容された錠剤収容部を含む錠剤シートの前記錠剤収容部を押圧して錠剤を取り出す錠剤取り出し手段と、前記錠剤取り出し手段が前記錠剤収容部の第１の位置を押圧可能な第１の配置位置、及び前記錠剤取り出し手段が前記第１の位置とは異なる前記錠剤収容部の第２の位置を押圧可能な第２の配置位置に前記錠剤シートを搬送可能な搬送手段とを備える錠剤供給装置で読み取り実行可能なプログラムであって、
前記錠剤供給装置を、
前記錠剤シートに収容される錠剤の種類に応じて、前記搬送手段により前記錠剤シートを前記第１の配置位置に搬送するか、前記第２の配置位置に搬送するかを決定する決定手段として機能させることを特徴とするプログラム。
【手続補正２】
【補正対象書類名】明細書
【補正対象項目名】発明の名称
【補正方法】変更
【補正の内容】
【発明の名称】錠剤供給装置、その制御方法、及びプログラム
【手続補正３】
【補正対象書類名】明細書
【補正対象項目名】０００１
【補正方法】変更
【補正の内容】
【０００１】
本発明は、錠剤供給装置、その制御方法、及びプログラムに関する。
【手続補正４】
【補正対象書類名】明細書
【補正対象項目名】０００６
【補正方法】変更
【補正の内容】
【０００６】
本発明は、錠剤シートを、錠剤取り出し手段が錠剤収容部の第１の位置を押圧可能な第１の配置位置に搬送するか、錠剤取り出し手段が第１の位置とは異なる錠剤収容部の第２の位置を押圧可能な第２の配置位置に搬送するかを、錠剤シートに収容される錠剤の種類に応じて決定することで、錠剤を取り出す際の錠剤の破損を低減可能な仕組みを提供することを目的とする。
【手続補正５】
【補正対象書類名】明細書
【補正対象項目名】０００７
【補正方法】変更
【補正の内容】
【０００７】
本発明は、錠剤が収容された錠剤収容部を含む錠剤シートの前記錠剤収容部を押圧して錠剤を取り出す錠剤取り出し手段と、前記錠剤取り出し手段が前記錠剤収容部の第１の位置を押圧可能な第１の配置位置、及び前記錠剤取り出し手段が前記第１の位置とは異なる前記錠剤収容部の第２の位置を押圧可能な第２の配置位置に前記錠剤シートを搬送可能な搬送手段と、前記錠剤シートに収容される錠剤の種類に応じて、前記搬送手段により前記錠剤シートを前記第１の配置位置に搬送するか、前記第２の配置位置に搬送するかを決定する決定手段と、を備えることを特徴とする。また、本発明は、錠剤が収容された錠剤収容部を含む錠剤シートの前記錠剤収容部を押圧して錠剤を取り出す錠剤取り出し手段を有する錠剤供給装置の制御方法であって、前記錠剤取り出し手段が前記錠剤収容部の第１の位置を押圧可能な第１の配置位置、又は前記錠剤取り出し手段が前記第１の位置とは異なる前記錠剤収容部の第２の位置を押圧可能な第２の配置位置に前記錠剤シートを搬送する搬送工程と、前記錠剤シートに収容される錠剤の種類に応じて、前記搬送工程により前記錠剤シートを前記第１の配置位置に搬送するか、前記第２の配置位置に搬送するかを決定する決定工程と、を備えることを特徴とする。また、本発明は、錠剤が収容された錠剤収容部を含む錠剤シートの前記錠剤収容部を押圧して錠剤を取り出す錠剤取り出し手段と、前記錠剤取り出し手段が前記錠剤収容部の第１の位置を押圧可能な第１の配置位置、及び前記錠剤取り出し手段が前記第１の位置とは異なる前記錠剤収容部の第２の位置を押圧可能な第２の配置位置に前記錠剤シートを搬送可能な搬送手段とを備える錠剤供給装置で読み取り実行可能なプログラムであって、前記錠剤供給装置を、前記錠剤シートに収容される錠剤の種類に応じて、前記搬送手段により前記錠剤シートを前記第１の配置位置に搬送するか、前記第２の配置位置に搬送するかを決定する決定手段として機能させることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
本発明によれば、錠剤取り出し手段が錠剤収容部の第１の位置を押圧可能な第１の配置位置に搬送するか、錠剤取り出し手段が第１の位置とは異なる錠剤収容部の第２の位置を押圧可能な第２の配置位置に搬送するかを、錠剤シートに収容される錠剤の種類に応じて決定することで、錠剤を取り出す際の錠剤の破損を低減することができる。